(57)【要約】【課題】ロールスクリ−ンが汚れるのを防止するとともに、ガイドロッドを、簡単な操作で、前方の使用位置と、商品の取出しに邪魔にならない後方の不使用位置とに位置させうるようにしたカバー装置を提供する。【解決手段】左右の支柱４の上端部に、ロールスクリーン１１を取付けた前方を向く左右１対のスクリーン支持ブラケット１２を取付け、この両スクリーン支持ブラケット１２間に、左右１対の回動片２０と、左右方向を向くガイドロッド２１とからなるスクリーン支持アーム１３を、ガイドロッド２１がスクリーン支持ブラケット１２の前方に突出する使用位置と、同じくガイドロッド２１が両スクリーン支持ブラケット１２間の後方に位置する不使用位置とに選択的に回動させうるように設け、ロールスクリーン１１より引き出したスクリーン１１aを、使用位置としたスクリーン支持アーム１３のガイドロッド２１を介して垂下させることにより、上下複数段の棚板８の前方と、最上段の棚板の上方を覆いうるようにする。【選択図】  図３
2008200239.tif 000002
【特許請求の範囲】
【請求項１】
左右の支柱に取付けられた上下複数段の棚板の前方と、最上段の棚板の上方を覆うようにした商品陳列棚のカバー装置において、
前記左右の支柱における前記最上段の棚板よりも上方に、前方に引出し可能なスクリーンを有する巻き込み式のロールスクリーンを取付けるとともに、前記ロールスクリーンの両側部または前記左右の支柱に、前方を向く左右１対のスクリーン支持ブラケットを取付け、この両スクリーン支持ブラケット間に、前後方向を向く左右１対の回動片の一端側の対向面に、左右方向を向くガイドロッドを取付けたスクリーン支持アームを、両回動片の他端側を前記左右のスクリーン支持ブラケットにおける前端部内側面に枢着することにより、前記ガイドロッドがスクリーン支持ブラケットの前方に突出する使用位置と、同じくガイドロッドが両スクリーン支持ブラケット間の後方に位置する不使用位置とに選択的に回動させうるように設け、前記ロールスクリーンより引き出したスクリーンを、前記使用位置としたスクリーン支持アームのガイドロッドを介して垂下させることにより、上下複数段の棚板の前方と、最上段の棚板の上方を覆いうるようにしたことを特徴とする商品陳列棚のカバー装置。
【請求項２】
ロールスクリーンを、左右のスクリーン支持ブラケットに取付け、この両スクリーン支持ブラケットの後端部を左右の支柱に取付けてなる請求項１記載の商品陳列棚のカバー装置。
【請求項３】
左右のスクリーン支持ブラケットの後端に、下向き鉤状の係合爪を上下複数突設し、この係合爪を、支柱の前面に設けた係合孔に係合することにより、スクリーン支持ブラケットを支柱の前面に取付けてなる請求項２記載の商品陳列棚のカバー装置。
【請求項４】
左右のスクリーン支持ブラケットの内側面における回動片の枢着部の下方に、内向きのストッパピンを突設するとともに、回動片における枢着部を挟む上下の端縁部に、前記ストッパピンと当接可能な係止段部を、枢着部を中心として円周方向にほぼ１８０度離間させて設けてなる請求項１〜３のいずれかに記載の商品陳列棚のカバー装置。
【発明の詳細な説明】
【技術分野】
【０００１】
本発明は、上下複数段の棚板の前方と、最上段の棚板の上方とを覆う商品陳列棚のカバー装置に関する。
【背景技術】
【０００２】
店舗において、例えば薬剤や化粧品等、薬剤師又は販売員による商品説明が必要な商品の場合には、閉店又は薬剤師等が不在となる際に、商品陳列棚の商品をカバーにより目隠しして、来客に、商品の販売が終了または一時中断していることを報知することがある。
本願出願人は、このようなときに使用されるカバー装置を案出し、先に特許出願している(例えば特許文献１参照)。
【特許文献１】特開２００６−２１２３０４号公報
【発明の開示】
【発明が解決しようとする課題】
【０００３】
上記特許文献に記載されているカバー装置においては、商品陳列棚におけるベース棚板の前端、すなわち足元付近にロールスクリーンを取付け、スクリ−ン端部の引出しロッドを上方に引き上げることにより、商品陳列棚に載置した商品の前方と最上方とを目隠しするようにしているので、ロールスクリ−ンが汚れ易いという問題がある。
【０００４】
また、引き出したスクリ−ンを陳列棚の上端前部において後向きに直角に折曲させ、最上段の棚板に載置した商品にスクリ−ンが干渉するのを防止するためのガイドロッドを、スクリ−ンに挟入、もしくは陳列棚の上端後部等の邪魔にならない位置に保管しておき、スクリ−ンを引き上げて商品を目隠しする使用時に、ガイドロッドも共に上方に持ち上げるか、もしくは保管位置から移動させて、陳列棚の支柱に取付けた１対のスクリ−ン支持アームの先端部に係止し、かつ不使用時にはそれから取外すようにしているため、その作業が面倒である。
【０００５】
さらに、ロールスクリーン、それを使用状態に保持する保持部材、及びガイドロッド等が別体であるため、カバー装置全体をユニット化して陳列棚に取付けたり、既存の商品陳列棚に簡単に後付けしたりすることができない。
【０００６】
本発明は、上記問題点に鑑みてなされたもので、ロールスクリ−ンが汚れるのを防止するとともに、ガイドロッドを、簡単な操作で、前方の使用位置と、商品の取出しに邪魔にならない後方の不使用位置とに位置させることができ、かつ全体をユニット化して取付けうるようにした商品陳列棚のカバー装置を提供することを目的としている。
【課題を解決するための手段】
【０００７】
本発明によると、上記課題は、次のようにして解決される。
（１）左右の支柱に取付けられた上下複数段の棚板の前方と、最上段の棚板の上方を覆うようにした商品陳列棚のカバー装置において、前記左右の支柱における前記最上段の棚板よりも上方に、前方に引出し可能なスクリーンを有する巻き込み式のロールスクリーンを取付けるとともに、前記ロールスクリーンの両側部または前記左右の支柱に、前方を向く左右１対のスクリーン支持ブラケットを取付け、この両スクリーン支持ブラケット間に、前後方向を向く左右１対の回動片の一端側の対向面に、左右方向を向くガイドロッドを取付けたスクリーン支持アームを、両回動片の他端側を前記左右のスクリーン支持ブラケットにおける前端部内側面に枢着することにより、前記ガイドロッドがスクリーン支持ブラケットの前方に突出する使用位置と、同じくガイドロッドが両スクリーン支持ブラケット間の後方に位置する不使用位置とに選択的に回動させうるように設け、前記ロールスクリーンより引き出したスクリーンを、前記使用位置としたスクリーン支持アームのガイドロッドを介して垂下させることにより、上下複数段の棚板の前方と、最上段の棚板の上方を覆いうるようにする。
【０００８】
（２）上記(１)項において、ロールスクリーンを、左右のスクリーン支持ブラケットに取付け、この両スクリーン支持ブラケットの後端部を左右の支柱に取付ける。
【０００９】
（３）上記(２)項において、左右のスクリーン支持ブラケットの後端に、下向き鉤状の係合爪を上下複数突設し、この係合爪を、支柱の前面に設けた係合孔に係合することにより、スクリーン支持ブラケットを支柱の前面に取付ける。
【００１０】
（４）上記(１)〜(３)項のいずれかにおいて、左右のスクリーン支持ブラケットの内側面における回動片の枢着部の下方に、内向きのストッパピンを突設するとともに、回動片における枢着部を挟む上下の端縁部に、前記ストッパピンと当接可能な係止段部を、枢着部を中心として円周方向にほぼ１８０度離間させて設ける。
【発明の効果】
【００１１】
請求項１記載の発明によれば、ロールスクリーンは、商品陳列棚の支柱の上端部に設けられているので、足元に設けた従来のもののように、それが汚れたりすることはない。
また、スクリーン支持アームの回動操作のみで、ガイドロッドを、前方の使用位置と、商品の取出しの邪魔にならない後方の不使用位置とに、極めて容易に位置させることができる。
【００１２】
請求項２記載の発明によれば、ロールスクリーンをスクリーン支持ブラケットに取付けたことにより、全ての部材をスクリーン支持ブラケットに予め組み付けて、カバー装置をユニット化し、スクリーン支持ブラケットのみを支柱に取り付ければよいので、カバー装置の取付けが極めて容易となり、かつ既存の商品陳列棚にも簡単に後付けすることも可能となる。
【００１３】
請求項３記載の発明によれば、スクリーン支持ブラケットの係合爪を、支柱の係合孔に係合させるだけの簡単な作業で、カバー装置を商品陳列棚に簡単に取付けることができるとともに、その取外しも容易となる。
【００１４】
請求項４記載の発明によれば、複雑なストッパ手段を設けなくても、スクリーン支持アームを、単に上向き、かつ前後方向に１８０度回動させるだけで、ストッパピンに上下の係止段部が当接して、スクリーン支持アームを、前方を向いてほぼ水平をなす使用位置と、後方を向いてほぼ水平をなす不使用位置とに、確実に停止させることができる。
【発明を実施するための最良の形態】
【００１５】
以下、本発明の実施形態を、図面に基づいて説明する。
図１〜図３は、本発明のカバー装置の一実施形態を備える商品陳列棚の斜視図で、カバー装置の使用手順を示す図、図４及び図５は、同じく、カバー装置の不使用時と使用時の側面図である。
【００１６】
商品陳列棚１は、前方を向くベース脚２と、その両側部後端より起立し、上下両端部の対向面同士を横杆３、３により連結された左右１対の支柱４、４と、ベース脚２に載置されたベース棚板５と、両支柱４の前面に列設された係合孔６に、左右１対のブラケット７をもって支持された上下複数段の棚板８とを備え、各棚板５、８には、商品９が載置されている。
【００１７】
商品陳列棚１における左右の支柱４の上端部前面には、カバー装置１０が、以下に詳述するようにして取付けられている。
カバー装置１０は、図６〜図１０に示すように、棚板５、８の左右寸法とほぼ等しい左右寸法のロールスクリ−ン１１と、前後方向を向く左右１対のスクリ−ン支持ブラケット１２、１２と、平面視後向コ字状をなすスクリ−ン支持アーム１３とを備えている。
【００１８】
ロールスクリ−ン１１は、正面視上向コ字状の取付ブラケット１４の左右端における起立片１４a、１４aに回転自在に枢支された、巻取りロック及びロック自動解除機構が内蔵された公知の巻き込み式のもので、多重に巻回されたスクリ−ン１１aの引出し端には、左右方向を向く引出しロッド１５が取付けられている。
【００１９】
スクリ−ン支持ブラケット１２の後端には、上記支柱４の上下に隣接する３個の係合孔６に係合可能な下向き鉤状の３個の係合爪１６が突設されている。
各スクリ−ン支持ブラケット１２の後部の下端には、内向きの支持片１２a が連設され、この支持片１２a の上面には、上記取付ブラケット１４を保持するための側面視コ字状をなす保持部材１７が、それに設けた２個のめねじ孔１８に、支持片１２a の下方より挿入した止めねじ１９、１９を螺合することにより、固定されている。
【００２０】
止めねじ１９の長さは、その上端が保持部材１７の上面より突出しない寸法とされている。
また、保持部材１７における起立片１７a、１７aの上下寸法は、取付ブラケット１４の横向水平片１４bの厚さよりも大きく、かつ上端部の開口幅を、横向水平片１４bの前後寸法より若干小としてある。従って、左右の保持部材１７の起立片１７a間に、横向水平片１４bを上方より強く嵌合すると、取付ブラケット１４が保持部材１７より簡単に外れるのが防止され、取付ブラケット１４及びそれに枢支されたロールスクリ−ン１１が、左右のスクリ−ン支持ブラケット１２の対向面間に位置するようにして、それらにより支持される(図６参照)。
【００２１】
スクリ−ン支持アーム１３は、前後方向を向く左右１対の回動片２０、２０と、それらの前端部の対向面に両側端が固定された左右方向を向くガイドロッド２１とからなり、両回動片２０の後端部を、左右のスクリ−ン支持ブラケット１２間に挟入し、両回動片２０の後端部と、左右のスクリ−ン支持ブラケット１２の前端部とに穿設された左右方向を向く取付孔２２、２２に、外側方より拡径頭部付きのピン２３を挿入し、内方の突出端をかしめることにより、スクリ−ン支持アーム１３は、左右のスクリ−ン支持ブラケット１２の前端部に、回動自在に枢着されている。
【００２２】
左右のスクリ−ン支持ブラケット１２における取付孔２２の直下には、左右方向内向きのストッパピン２４、２４が突設されている。
また、左右の回動片２０の後端部には、取付孔２２を中心として円周方法にほぼ１８０度離間する上下２個の係止段部２５、２５が形成され、この両係止段部２５のいずれかが、ストッパピン２４に当接することにより、スクリ−ン支持アーム１３は、図８に示すように、後方を向いて水平をなす不使用位置と、図９に示すように、前方を向いて水平をなす使用位置とに、選択的に停止して保持されるようになっている。なお、使用位置とした際のスクリーン支持アーム１３の前後寸法は、そのガイドロッド２１の前端が、最上段の棚板８の前端よりも若干前方に位置する長さに設定されている(図９参照)。
【００２３】
図７は、上記のように予め組み付けられてユニット化されたカバー装置１０を示し、このカバー装置１０を商品陳列棚１に取付けるには、左右のスクリーン支持ブラケット１２の後端の係合爪１６を、左右の支柱４の前面に設けた係合孔６の上端部のものに係合させるのみでよい(図８参照)。
【００２４】
図１、図４及び図８は、スクリーン支持アーム１３を、後向きに回動させた不使用状態を示すものであるが、この状態では、最上段の棚板８の前方と上方は大きく開放されているので、それに載置された商品９の取り出しは容易であり、販売に支障を来すことはない。
【００２５】
閉店または販売員が不在となるときなどに、商品９を目隠しするには、まず図２及び図９に示すように、スクリーン支持アーム１３を、その両回動片２０の下部の係止段部２５が、左右のスクリーン支持ブラケット１２のストッパピン２４と当接するまで前上方に回動させ、前方を向いてほぼ水平をなす使用位置とする。
【００２６】
ついで、図３、図５及び図１０に示すように、ロールスクリーン１１の引出しロッド１５を把時して、前方に引っ張り、スクリーン１１aを前方に引き出して、スクリーン支持アーム１３のガイドロッド２１に掛止したのち、さらに下方に引っ張り、引出しロッド１５がベース棚板５の前端部上面と近接したところで手を離す。
この際、内部の巻取りロック機構が作用して、スクリーン１１aが巻取られるのが防止されることにより、スクリーン１１aは、引出しロッド１５の重さにより垂下した状態に保持される。
【００２７】
これにより、スクリーン１１aは、側面視倒立Ｌ字状となり、商品陳列棚１の棚板５、８に載置されている商品９は、前方及び上方から目隠しされる。
【００２８】
以上説明したように、上記実施形態のカバー装置１０においては、ロールスクリーン１１は商品陳列棚１の上端部に設けられているので、ロールスクリ-ンを足元に設けた従来のもののように、それが汚れたりすることはない。
また、スクリーン支持アーム１３の回動操作のみで、ガイドロッド２１を、前方の使用位置と、商品の取出しの邪魔にならない後方の不使用位置とに、極めて容易に位置させることができる。
【００２９】
さらに、カバー装置１０全体を、予め組み付けてユニット化し、左右のスクリーン支持ブラケット１２の係合爪１６を、単に支柱４の係合孔６に係合させるだけの作業で、カバー装置１０を簡単に商品陳列棚１に取付けることができる。
また、ユニット化したカバー装置１０を、既存の商品陳列棚に後付けすることもできる。
【００３０】
なお、上記実施形態では、ロールスクリーン１１を、取付ブラケット１４により枢支し、この取付ブラケット１４を左右のスクリ−ン支持ブラケット１２に取り付けているが、取付ブラケット１４を、左右の支柱４または上部の横杆３に取付けてもよく、また、取付ブラケット１４を省略し、ロールスクリーン１１を、左右のスクリーン支持ブラケット１２に直接取付けることも可能である。
取付ブラケット１４を支柱４や横杆３に取付けた際には、左右のスクリーン支持ブラケット１２の後端部を、取付ブラケット１４の外側面等に取付けることもある。
【００３１】
また、上記実施形態においては、スクリーン支持アーム１３のガイドロッド２１を、左右の回動片２０に固定しているが、左右方向を向く軸回りに回転自在に取付けてもよい。このようにすると、スクリーン１１aとガイドロッド２１との摩擦抵抗が小さくなるので、スクリーン１１aを軽快に引っ張ることができるとともに、それが損傷される恐れも小さくなる。
【図面の簡単な説明】
【００３２】
【図１】本発明のカバー装置の一実施形態を備える商品陳列棚におけるカバー装置不使用時の斜視図である。
【図２】同じく、スクリーン支持アームを前方に回動させた使用状態の斜視図である。
【図３】同じく、スクリーンを引いて商品を目隠ししたときの斜視図である。
【図４】同じく、図１の状態の側面図である。
【図５】同じく、図３の状態の側面図である。
【図６】同じく、カバー装置の分解斜視図である。
【図７】同じく、カバー装置組立時の斜視図である。
【図８】同じく、カバー装置不使用時の要部の拡大側面図である。
【図９】同じく、スクリーン支持アームを前方の使用位置に回動したときの要部の拡大側面図である。
【図１０】同じく、スクリーンを引いたときの要部の拡大側面図である。
【符号の説明】
【００３３】
１    商品陳列棚
２    ベース脚
３    横杆
４    支柱
５    ベース棚板
６    係合孔
７    ブラケット
８    棚板
９    商品
１０  カバー装置
１１  ロールスクリーン
１１a スクリーン
１２  スクリーン支持ブラケット
１２a 内向水平片
１３  スクリーン支持アーム
１４  取付ブラケット
１４a 起立片
１４b 横向水平片
１５  引出しロッド
１６  係合爪
１７  保持部材
１７a 起立片
１８  めねじ孔
１９  止めねじ
２０  回動片
２１  ガイドロッド
２２  取付孔
２３  ピン
２４  ストッパピン
２５  係止段部
【図１】
2008200239.tif 000003
【図２】
2008200239.tif 000004
【図３】
2008200239.tif 000005
【図４】
2008200239.tif 000006
【図５】
2008200239.tif 000007
【図６】
2008200239.tif 000008
【図７】
2008200239.tif 000009
【図８】
2008200239.tif 000010
【図９】
2008200239.tif 000011
【図１０】
2008200239.tif 000012